(57)【要約】【課題】録画コンテンツに対して、ユーザ所望の画像をサムネイル化できる記録装置を提供する。【解決手段】レコーダ１０は、コンテンツを記憶する記憶部１３と、予めキーワードが関連付けされた画像データを入力する外部入力Ｉ／Ｆ２３と、入力された画像データ毎にキーワードを格納する関連付けデータベース１４と、レコーダ１０を制御する制御部２４とを備える。制御部２４は、記憶部１３に記憶されたコンテンツにキーワードを関連付け、コンテンツに関連付けられたキーワードに基づいて関連付けデータベース１４を検索し、関連付けデータベース１４からキーワードが検索された画像データをコンテンツのサムネイル画像として生成する。【選択図】図１
2009010692.tif 000002
【特許請求の範囲】
【請求項１】
コンテンツを記録する記録手段を備えた記録装置であって、
予めキーワードが関連付けされた画像データを入力する画像データ入力手段と、該入力された画像データ毎にキーワードを格納する関連付けデータベースと、前記記録手段に記録されたコンテンツにキーワードを関連付けるキーワード関連付け手段と、前記コンテンツに関連付けられたキーワードに基づいて前記関連付けデータベースを検索するキーワード検索手段と、前記関連付けデータベースからキーワードが検索された画像データを前記コンテンツのサムネイル画像として生成するサムネイル画像生成手段とを備えたことを特徴とする記録装置。
【請求項２】
コンテンツを記録する記録手段を備えた記録装置であって、
予めキーワードが関連付けされた画像データを入力する画像データ入力手段と、該入力された画像データ毎にキーワードを格納する関連付けデータベースと、前記記録手段に記録されたコンテンツから番組情報を抽出する番組情報抽出手段と、前記関連付けデータベースに格納された画像データ毎のキーワードに基づいて前記番組情報を検索するキーワード検索手段と、前記番組情報からキーワードが検索された画像データを前記コンテンツのサムネイル画像として生成するサムネイル画像生成手段とを備えたことを特徴とする記録装置。
【請求項３】
請求項１又は２に記載の記録装置において、デジタル放送を受信する受信手段を備え、
前記コンテンツは、前記受信手段で受信されたデジタル放送の番組コンテンツであることを特徴とする記録装置。
【請求項４】
請求項３に記載の記録装置において、前記デジタル放送は、テレビ放送、ラジオ放送、データ放送の少なくとも１つを含むことを特徴とする記録装置。
【請求項５】
請求項１乃至４のいずれか１項に記載の記録装置において、前記記録手段に記録されたコンテンツをリスト化したコンテンツリストをオンスクリーン出力するＯＳＤ手段を備え、
前記コンテンツリストは、前記サムネイル画像生成手段により生成されたサムネイル画像を含むことを特徴とする記録装置。
【請求項６】
請求項１乃至５のいずれか１項に記載の記録装置において、前記サムネイル画像生成手段は、１つのコンテンツに対して２以上のサムネイル画像を生成することを特徴とする記録装置。
【請求項７】
請求項６に記載の記録装置において、前記２以上のサムネイル画像のうち、一方のサムネイル画像は前記画像データ入力手段より入力された画像データから生成され、他方のサムネイル画像は前記記録手段に記録されたコンテンツから生成されることを特徴とする記録装置。
【請求項８】
請求項１乃至７のいずれか１項に記載の記録装置において、前記画像データ入力手段により入力された画像データは、Ｅｘｉｆ形式の画像データであることを特徴とする記録装置。
【請求項９】
コンテンツを記録する記録手段を備えた記録装置によるサムネイル画像生成方法であって、
予めキーワードが関連付けされた画像データを入力するステップと、該入力された画像データ毎にキーワードを関連付けデータベースに格納するステップと、前記記録手段に記録されたコンテンツにキーワードを関連付けるステップと、前記コンテンツに関連付けられたキーワードに基づいて前記関連付けデータベースを検索するステップと、前記関連付けデータベースからキーワードが検索された画像データを前記コンテンツのサムネイル画像として生成するステップとを備えたことを特徴とするサムネイル画像生成方法。
【請求項１０】
コンテンツを記録する記録手段を備えた記録装置によるサムネイル画像生成方法であって、
予めキーワードが関連付けされた画像データを入力するステップと、該入力された画像データ毎にキーワードを関連付けデータベースに格納するステップと、前記記録手段に記録されたコンテンツから番組情報を抽出するステップと、前記関連付けデータベースに格納された画像データ毎のキーワードに基づいて前記番組情報を検索するステップと、前記番組情報からキーワードが検索された画像データを前記コンテンツのサムネイル画像として生成するステップとを備えたことを特徴とするサムネイル画像生成方法。
【請求項１１】
請求項１乃至８のいずれか１項に記載の記録装置としての機能を実行するためのプログラム。
【発明の詳細な説明】
【技術分野】
【０００１】
本発明は、記録装置、サムネイル画像生成方法、及びプログラム、より詳細には、デジタルカメラ等から静止画を取り込んで、その静止画からサムネイル画像を生成可能な記録装置、該装置によるサムネイル画像生成方法、及びプログラムに関する。
【背景技術】
【０００２】
従来、ＤＶＤレコーダ等においては、記録媒体に録画したコンテンツ（以下、タイトル）に対してサムネイル画像という圧縮画像を生成し、タイトルのインデックスとして使用するものが知られている。サムネイル画像の生成方法としては、録画終了後にユーザがサムネイル画像を編集する方法、所定時間毎に複数フレームを抽出し各フレームから得られた静止画をサムネイル画像とする方法、重要なシーンを判定して複数フレームを抽出し各フレームから得られた静止画をサムネイル画像とする方法、などがある。
【０００３】
例えば、特許文献１には、ユーザがコンテンツの録画に先立ってサムネイル時刻を指定することにより、そのサムネイル時刻に対応した映像に基づいてサムネイル画像を生成する技術が開示されている。
また、特許文献２には、動画の記録中に音量レベルの変化を検出し、この音量レベルが閾値を越えた場合、そのときの映像に基づいてサムネイル画像を生成する技術が開示されている。
【特許文献１】特開２００３−３２５８１号公報
【特許文献２】特開２００４−１５９２６５号公報
【発明の開示】
【発明が解決しようとする課題】
【０００４】
しかしながら、上記特許文献１に記載の技術の場合、番組開始時刻から所定時間経過後の映像をサムネイルとしているが、あくまで録画番組内の映像をサムネイル化しているだけで、ユーザが所望する画像をサムネイル化することはできない。
また、上記特許文献２に記載の技術の場合、音量レベルが閾値以上に変化した時点の映像をサムネイルとしているが、この場合も同様に、あくまで録画番組内の映像をサムネイル化しているだけで、ユーザ所望の画像をサムネイル化することはできない。
【０００５】
このように、特許文献１，２をはじめとする従来技術の場合、番組開始からの経過時間や音量レベルなどの所定の条件を満たしたときに、録画番組内の映像からサムネイル画像を得ているため、このサムネイル画像が録画番組の内容を的確に表しているとは限らない。例えばＣＭなどがサムネイル画像になってしまうケースも考えられ、この場合、ユーザが後から適当なシーンを探してサムネイル画像を設定し直す等の作業が発生し、ユーザに負担をかけることになる。
【０００６】
本発明は、上述のごとき実情に鑑みてなされたものであり、録画コンテンツに対して、ユーザ所望の画像をサムネイル化できる記録装置、該装置によるサムネイル画像生成方法、及びプログラムを提供すること、を目的とする。
【課題を解決するための手段】
【０００７】
上記課題を解決するために、本発明の第１の技術手段は、コンテンツを記録する記録手段を備えた記録装置であって、予めキーワードが関連付けされた画像データを入力する画像データ入力手段と、入力された画像データ毎にキーワードを格納する関連付けデータベースと、記録手段に記録されたコンテンツにキーワードを関連付けるキーワード関連付け手段と、コンテンツに関連付けられたキーワードに基づいて関連付けデータベースを検索するキーワード検索手段と、関連付けデータベースからキーワードが検索された画像データをコンテンツのサムネイル画像として生成するサムネイル画像生成手段とを備えたことを特徴としたものである。
【０００８】
第２の技術手段は、コンテンツを記録する記録手段を備えた記録装置であって、予めキーワードが関連付けされた画像データを入力する画像データ入力手段と、入力された画像データ毎にキーワードを格納する関連付けデータベースと、記録手段に記録されたコンテンツから番組情報を抽出する番組情報抽出手段と、関連付けデータベースに格納された画像データ毎のキーワードに基づいて番組情報を検索するキーワード検索手段と、番組情報からキーワードが検索された画像データをコンテンツのサムネイル画像として生成するサムネイル画像生成手段とを備えたことを特徴としたものである。
【０００９】
第３の技術手段は、第１又は第２の技術手段において、デジタル放送を受信する受信手段を備え、コンテンツは、受信手段で受信されたデジタル放送の番組コンテンツであることを特徴としたものである。
【００１０】
第４の技術手段は、第３の技術手段において、デジタル放送は、テレビ放送、ラジオ放送、データ放送の少なくとも１つを含むことを特徴としたものである。
【００１１】
第５の技術手段は、第１乃至第４のいずれか１の技術手段において、記録手段に記録されたコンテンツをリスト化したコンテンツリストをオンスクリーン出力するＯＳＤ手段を備え、コンテンツリストは、サムネイル画像生成手段により生成されたサムネイル画像を含むことを特徴としたものである。
【００１２】
第６の技術手段は、第１乃至第５のいずれか１の技術手段において、サムネイル画像生成手段は、１つのコンテンツに対して２以上のサムネイル画像を生成することを特徴としたものである。
【００１３】
第７の技術手段は、第６の技術手段において、２以上のサムネイル画像のうち、一方のサムネイル画像は画像データ入力手段より入力された画像データから生成され、他方のサムネイル画像は記録手段に記録されたコンテンツから生成されることを特徴としたものである。
【００１４】
第８の技術手段は、第１乃至第７のいずれか１の技術手段において、画像データ入力手段により入力された画像データは、Ｅｘｉｆ形式の画像データであることを特徴としたものである。
【００１５】
第９の技術手段は、コンテンツを記録する記録手段を備えた記録装置によるサムネイル画像生成方法であって、予めキーワードが関連付けされた画像データを入力するステップと、入力された画像データ毎にキーワードを関連付けデータベースに格納するステップと、記録手段に記録されたコンテンツにキーワードを関連付けるステップと、コンテンツに関連付けられたキーワードに基づいて関連付けデータベースを検索するステップと、関連付けデータベースからキーワードが検索された画像データをコンテンツのサムネイル画像として生成するステップとを備えたことを特徴としたものである。
【００１６】
第１０の技術手段は、コンテンツを記録する記録手段を備えた記録装置によるサムネイル画像生成方法であって、予めキーワードが関連付けされた画像データを入力するステップと、入力された画像データ毎にキーワードを関連付けデータベースに格納するステップと、記録手段に記録されたコンテンツから番組情報を抽出するステップと、関連付けデータベースに格納された画像データ毎のキーワードに基づいて番組情報を検索するステップと、番組情報からキーワードが検索された画像データをコンテンツのサムネイル画像として生成するステップとを備えたことを特徴としたものである。
【００１７】
第１１の技術手段は、第１乃至第８のいずれか１の技術手段における記録装置としての機能を実行するためのプログラムを特徴としたものである。
【発明の効果】
【００１８】
本発明によれば、録画コンテンツに対して、ユーザ所望の画像をサムネイル化できるため、ユーザ自身が設定したサムネイル画像により録画コンテンツの内容を簡単且つ的確に把握することができる。
【発明を実施するための最良の形態】
【００１９】
以下、添付図面を参照しながら、本発明の記録装置、該装置によるサムネイル画像生成方法、及びプログラムの好適な実施の形態について説明する。
【００２０】
図１は、本発明の一実施形態に係る記録装置の構成例を示すブロック図である。図中、１０は記録装置を示す。記録再置（以下、レコーダ）１０は、デジタル放送あるいはアナログ放送を受信するチューナ部１１と、チューナ部１１で受信した放送信号を復号して画像／音声信号を抽出・処理する画像／音声信号処理部１２と、画像／音声信号処理部１２で処理された画像／音声信号を記憶するＨＤＤやＤＶＤ等の記憶部１３と、録画タイトルと静止画それぞれのキーワード情報を格納する関連付けデータベース１４と、録画タイトルリストなどをオンスクリーン表示するＯＳＤ部１５と、画像／音声信号にＯＳＤ信号を重畳する重畳部１６と、重畳部１６でＯＳＤ信号が重畳された画像／音声信号をテレビへ出力する信号出力部１７とを備える。
【００２１】
また、レコーダ１０は、各種操作信号を入力する本体側の操作部１８と、リモコンＲからのリモコン信号を赤外線や無線を介して受信するリモコン受光部１９と、レコーダ１０の制御プログラム等を記憶するＲＯＭ２０と、制御プログラム等の実行領域となるＲＡＭ２１と、ＬＡＮやインターネット等のネットワークに接続するためのネットワークＩ／Ｆ２２と、ＰＣ（パーソナルコンピュータ）やデジタルカメラ，メモリカードなどの外部機器を接続するためのＩｒＳＳ（赤外線通信）やＵＳＢ（ユニバーサルシリアルバス）等の外部入力Ｉ／Ｆ２３と、レコーダ１０を制御するＣＰＵ等で構成される制御部２４とを備える。以下の説明においてタイトルという用語を用いているが、このタイトルとは、チューナ部１１で受信して記憶部１３に記憶されたコンテンツのことをいう。
【００２２】
本発明のレコーダ１０の主たる特徴部分は、録画タイトルに対して、ユーザ所望の画像をサムネイル化することにある。このための構成として、レコーダ１０は、タイトルを記録する記録手段に相当する記憶部１３と、予めキーワードが関連付けされた画像データを入力する画像データ入力手段に相当する外部入力Ｉ／Ｆ２３あるいはネットワークＩ／Ｆ２２と、入力された画像データ毎にキーワードを格納する関連付けデータベース１４とを備える。なお、関連付けデータベース１４は記憶部１３の記憶領域の一部として構成されていてもよい。
【００２３】
レコーダ１０は、記憶部１３に記憶されたタイトルにキーワードを関連付けるキーワード関連付け手段と、タイトルに関連付けられたキーワードに基づいて関連付けデータベース１４を検索するキーワード検索手段と、関連付けデータベース１４からキーワードが検索された画像データをタイトルのサムネイル画像として生成するサムネイル画像生成手段とを備える。これらキーワード関連付け手段、キーワード検索手段、及びサムネイル画像生成手段は、サムネイル画像生成プログラムとして記憶部１３あるいはＲＯＭ２０に格納される。制御部２４は、サムネイル画像生成時に、上記サムネイル画像生成プログラムをＲＡＭ２１に読み出して、このプログラムをＲＡＭ２１上で実行する。これを第１の構成とする。
【００２４】
また、録画タイトルがデジタル放送の番組であり、当該番組の番組情報から番組名や番組説明、ジャンル情報などを取得できる場合、レコーダ１０を他の構成としてもよい。
すなわち、レコーダ１０は、記憶部１３に記憶されたタイトルから番組情報を抽出する番組情報抽出手段と、関連付けデータベース１４に格納された画像データ毎のキーワードに基づいて番組情報を検索するキーワード検索手段と、番組情報からキーワードが検索された画像データをタイトルのサムネイル画像として生成するサムネイル画像生成手段とを備える。上記同様に、これら番組情報抽出手段、キーワード検索手段、及びサムネイル画像生成手段は、サムネイル画像生成プログラムとして記憶部１３あるいはＲＯＭ２０に格納される。制御部２４は、サムネイル画像生成時に、上記サムネイル画像生成プログラムをＲＡＭ２１に読み出して、このプログラムをＲＡＭ２１上で実行する。これを第２の構成とする。
【００２５】
そしてＯＳＤ部１５は、レコーダ１０の第１の構成あるいは第２の構成により生成されたサムネイル画像を、各タイトルのインデックスとしてタイトルリストに含めてテレビに出力する。このときのタイトルリストの画面表示例を後述の図６に示す。
【００２６】
また、１つのタイトルに対して、２以上のサムネイル画像を関連付けるようにしてもよい。例えば、２以上のサムネイル画像のうち、一方のサムネイル画像は外部入力Ｉ／Ｆ２３あるいはネットワークＩ／Ｆ２２より入力された画像データから生成し、他方のサムネイル画像は従来通りの方法により記憶部１３に記憶されたタイトルから生成するようにする。このときのタイトルリストの画面表示例を後述の図９に示す。
【００２７】
（実施例１）
本実施例のレコーダ１０は、前述したキーワード関連付け手段、キーワード検索手段、及びサムネイル画像生成手段を備える第１の構成による処理を行うものとする。
図２は、本発明のレコーダ１０による静止画取り込み処理の一例を説明するためのフロー図である。ユーザは予めサムネイル画像にしたい静止画をパーソナルコンピュータ（ＰＣ）上の例えば画像管理ソフトウェアなどで編集し、Ｅｘｉｆタグの「User Comment」タグにキーワードを設定する。本例では、デジタルカメラ等で広く採用されているＥｘｉｆ形式の画像データを取り込む処理について説明する。
【００２８】
Ｅｘｉｆ形式の画像データは、基本的にはＪＰＥＧ形式やＴＩＦＦ形式の画像データとなるが、Ｅｘｉｆタグに「User Comment」タグを設けることが規定されている。「User Comment」タグは、ユーザが任意のコメントを書き込むことができる領域で、ここにキーワードを格納することができる。キーワードとしては、有限長の文字，数字，記号、あるいはこれらを組み合わせたものを設定することができる。例えば、ある静止画Ａを映画タイトルＢに関連付けしたいのであれば、映画タイトルＢの監督名あるいは出演している役者名を静止画Ａのキーワードとする。この場合、レコーダ１０側で映画タイトルＢにも同じ監督名あるいは役者名をキーワードとして設定しておけば、静止画Ａと映画タイトルＢを関連付けることができる。
【００２９】
なお、キーワード設定可能なＥｘｉｆタグは、この「User Comment」に限らず、撮影時の日時情報などをキーワードとして使用してもよい。例えば、結婚式などの特定の日時に係る静止画であれば、日時情報をキーワードとすることができる。この場合、レコーダ１０側で結婚をテーマにした録画タイトルにも同じ日時情報を設定しておけば、両者を関連付けることができる。
【００３０】
図２において、レコーダ１０は、外部入力Ｉ／Ｆ２３あるいはネットワークＩ／Ｆ２２を介して接続されたＰＣなどから静止画を取り込んで記憶部１３に格納する。そして、記憶部１３に格納された静止画のＥｘｉｆタグを走査する（ステップＳ１）。そして、Ｅｘｉｆタグがあるかどうかを判定し（ステップＳ２）、Ｅｘｉｆタグがある場合（ＹＥＳの場合）、「User Comment」タグがあるかどうかを判定する（ステップＳ３）。また、Ｅｘｉｆタグがない場合（ＮＯの場合）、関連付けデータベース１４に静止画に対するキーワードが無いことを示す“none”を記録する（ステップＳ６）。ここで関連付けデータベース１４は静止画とキーワードの関連を記録するためのデータベースである。
【００３１】
次に、レコーダ１０は、上記ステップＳ３において、「User Comment」タグがある場合（ＹＥＳの場合）、「User Comment」に格納されている値がキーワードとして適切かどうかを判定する（ステップＳ４）。例えば、キーワードの長さが製品仕様上適切で、また、使用している文字などに問題がないかを判定する。また、「User Comment」タグがない場合（ＮＯの場合）、ステップＳ６に移行して、関連付けデータベース１４に静止画に対するキーワードが無いことを示す“none”を記録する。
【００３２】
次に、レコーダ１０は、上記ステップＳ４において、「User Comment」に格納されている値がキーワードとして適切な場合（ＹＥＳの場合）、関連付けデータベース１４に静止画に対するキーワードを記録する（ステップＳ５）。また、「User Comment」に格納されている値がキーワードとして適切でない場合（ＮＯの場合）、ステップＳ６に移行して、関連付けデータベース１４に静止画に対するキーワードが無いことを示す“none”を記録する。
【００３３】
図３は、本発明のレコーダ１０によるタイトルへのキーワード設定処理の一例を説明するためのフロー図である。本例では、記憶部１３に記憶された録画タイトルにキーワードを設定する処理について説明する。
まず、レコーダ１０は、記憶部１３から録画タイトルを選択し（ステップＳ１１）、選択した録画タイトルにキーワードを設定する（ステップＳ１２）。次に、キーワードの長さが製品仕様上適切か、使用している文字などに問題がないかなど、キーワードとして適切かどうかを判定する（ステップＳ１３）。
【００３４】
次に、レコーダ１０は、上記ステップＳ１３において、キーワードとして適切である場合（ＹＥＳの場合）、録画タイトルとキーワードの関連を関連付けデータベース１４に記録する（ステップＳ１４）。また、キーワードとして適切ではない場合（ＮＯの場合）、ステップＳ１２に戻り処理を繰り返す。
【００３５】
図４は、本発明のレコーダ１０による録画タイトルと静止画との関連付け処理の一例を説明するためのフロー図である。本例では、レコーダ１０がタイトルリストをテレビ画面に表示させる際に、各タイトルのサムネイル画像を取得する処理について説明する。
まず、レコーダ１０は、録画タイトルのキーワードを取得し（ステップＳ２１）、録画タイトルのキーワードを問い合わせる（ステップＳ２２）。そしてレコーダ１０は、録画タイトルのキーワードに合致するキーワードを持つ静止画を、関連付けデータベース１４から検索する（ステップＳ２３）。
【００３６】
次に、レコーダ１０は、上記ステップＳ２３において、関連付けデータベース１４から、キーワードが合致する静止画が検索された場合（ＹＥＳの場合）、録画タイトルに静止画を関連付けし、関連付けデータベース１４に記録する（ステップＳ２４）。また、関連付けデータベース１４から、キーワードが合致する静止画が検索されなかった場合（ＮＯの場合）、従来通りのサムネイル画像として、関連付けがないことを示す“none”を関連付けデータベース１４に記録する（ステップＳ２５）。
【００３７】
図５は、関連付けデータベース１４の内部構造の一例を説明するための図である。図５（Ａ）に示すように、録画タイトル（Ｔ１〜Ｔ１２）とキーワードの組と、図５（Ｂ）に示すように、静止画（Ｐ１〜Ｐ１８）とキーワードの組が格納されている。キーワードが設定されていないものもあるので、そういうものは“none”と表記している。
【００３８】
図６は、レコーダ１０により出力されるタイトルリストのサムネイル形式の表示例を示す図である。従来、タイトルリストに表示されるサムネイルは、各々タイトルＴ１からＴ１２の記録映像の中の１シーンを抜き出して生成される。その多くはタイトル先頭からの時間を基準としている。あるいは、ユーザの編集操作でタイトルの任意の時間の映像としていた。
【００３９】
本発明の場合、レコーダ１０がタイトルリストを作成・表示する際に、例えば、図５に示した値に基づいて、図４に示したフローの手順に従って各タイトルのサムネイル画像を取得する。図５に示した値に従うと、図６に示すようなタイトルリストが作成される。具体的には、タイトルＴ３にはキーワードとして「keyword1」が関連付けられているので、サムネイル画像は「keyword1」に関連付けられている静止画Ｐ７が使用される。
【００４０】
タイトルＴ５にはキーワードが関連付けられていないので、サムネイル画像は従来通りのものとなる。タイトルＴ１２にはキーワードとして「keyword12」が関連付けられているが、この「keyword12」が関連付けられている静止画はないので、サムネイル画像は従来通りのものとなる。ここで従来通りとは、録画タイトルの１シーンから取得されるサムネイル画像のことをいう。なお、Ｅｘｉｆタグは「User Comment」以外にも日時情報などを使用しても良い。
【００４１】
（実施例２）
本実施例のレコーダ１０は、前述した番組情報抽出手段、キーワード検索手段、及びサムネイル画像生成手段を備える第２の構成による処理を行うものとする。
図７は、関連付けデータベース１４の内部構造の他の例を説明するための図である。ここでは、タイトルに関連付けするキーワードの代わりに、デジタル放送の番組情報から取得される「番組名」や「番組説明」を用いる。すなわち、レコーダ１０にタイトルを記録したときに、関連付けデータベース１４に格納されているキーワードが含まれるかどうか「番組名」や「番組説明」を検索する。キーワードが含まれていれば、そのキーワードに関連付けされている静止画からサムネイル画像を生成し、その関連付け情報を関連付けデータベースに格納する。
【００４２】
例えば、ある静止画Ａ′を映画タイトルＢ′に関連付けしたいのであれば、映画タイトルＢ′の監督名あるいは出演している役者名を静止画Ａ′のキーワードとする。この場合、番組情報に上記監督名あるいは役者名が含まれている映画タイトルが検索される。この中には映画タイトルＢ′も含まれているため、そのキーワード(監督名あるいは役者名)が設定された静止画Ａ′を映画タイトルＢ′に関連付けることができる。
【００４３】
また、デジタル放送のようにタイトルの番組情報からジャンル情報を取得できる場合、このジャンル情報をキーワードとしてもよい。上記例で説明すると、映画タイトルＢ′の場合、ジャンル情報は「映画」となるため、静止画Ａ′のキーワードとして「映画」を設定する。このキーワードに基づいてタイトルのジャンル情報を検索すると、ジャンルが「映画」であるタイトルが検索される。この中には映画タイトルＢ′も含まれているため、そのキーワード「映画」が設定された静止画Ａ′を映画タイトルＢ′に関連付けることができる。
【００４４】
図７（Ａ）は関連付けデータベース１４に格納されている全キーワードリストを示し、図７（Ｂ）は関連付けデータベース１４に格納されて静止画毎のキーワードリストを示し、図７（Ｃ）は録画タイトル−静止画関連付けリストを示す。本例では、図７（Ａ）に示す全キーワードリストにあるキーワードに基づいて順番に番組名などの番組情報を検索していく。番組情報の中に合致したキーワードが見つかれば、図７（Ｂ）に示す静止画毎のキーワードリストから、合致したキーワードに対応する静止画を特定する。
【００４５】
例えば、番組情報から得られる番組名が「アジア圏ニュース−中国経済」である場合、図７（Ａ）に示す全キーワードリストに基づいて番組名を検索していくと、番組名の中にキーワード「中国」を含むことがわかる。この場合、図７（Ｂ）の静止画毎のキーワードリストを参照すると、キーワード「中国」に対応する静止画Ｐ４が特定される。そして、この関連付け情報は、図７（Ｃ）に示す録画タイトル−静止画関連付けリストのように格納され、レコーダ１０がタイトルリストを生成・表示するときに使用される。
【００４６】
ここで、デジタル放送の中にはラジオ放送やデータ放送などがあるが、これらをレコーダ１０で記録したとしても、映像がないために、映像からサムネイルを得ていた従来通りの方法ではサムネイルを設定することができなかった。
これに対して、前述の実施例１や２に示したサムネイル画像生成方法を用いることで、デジタルラジオ放送やデジタルデータ放送などの映像がない放送を記録したタイトルでもユーザ所望のサムネイル画像を問題なく設定することができる。
【００４７】
（実施例３）
図８は、関連付けデータベース１４の内部構造の他の例を説明するための図である。図８（Ａ）は関連付けデータベース１４に格納されている全キーワードリストを示し、図８（Ｂ）は関連付けデータベース１４に格納されて静止画毎のキーワードリストを示し、図８（Ｃ）は録画タイトル−静止画関連付けリストを示す。図８に示す関連付けデータベース１４に基づくタイトルリストのサムネイル形式の表示例を図９に示す。
【００４８】
本実施例においては、実施例２の方法によるユーザ所望の静止画をサムネイルとして設定すると共に、従来通りの方法によるタイトルの映像をサムネイルとして設定する。すなわち、図９に示すように１つのタイトルに対して２つのサムネイル画像を関連付けて表示する。このときの関連付けデータベース１４は図８に示すようになる。
【００４９】
図８においてタイトルＴ１，Ｔ２，Ｔ３は、連続ドラマなどのシリーズの番組を記録したタイトルである。例えば、前述の実施例２の方法により、キーワード検索を番組名「健康情報」に対して行った結果、一つ目のサムネイル画像は静止画Ｐ１となる。例えば、静止画Ｐ１は番組名「健康情報」という番組を想起させるような静止画である。そして、二つ目のサムネイル画像は従来通りの方法により、例えば、ユーザが編集で設定した番組中の映像を用いる。こうすれば、一連の連続ドラマのタイトルＴ１〜Ｔ３について同じ静止画をサムネイル画像とし、かつ、タイトルＴ１〜Ｔ３の放送各回毎のサムネイル画像も別に設定することができる。これにより、タイトルリストの一覧性をより向上させることができる。
【００５０】
また、１つのタイトルに対してキーワードを２つ設定するようにすれば、実施例３で従来方法によりタイトル中の映像にしていた二つ目のサムネイル画像を、実施例１や実施例２に示した方法によりユーザ所望の任意の静止画にすることができる。
【００５１】
なお、これまで説明した各実施形態において設定可能なキーワードが複数存在する場合、ＯＳＤ部１５が、ユーザ操作に従って、関連付けデータベース１４に格納されているキーワード候補の一覧をオンスクリーン表示させ、ユーザにより選択できるようにしてもよい。この際、不要なキーワードは削除できるようにしてもよい。
【００５２】
以上、本発明の記録装置における各機能を中心に各実施形態を説明してきたが、本発明は、記録装置における各ステップを実行するサムネイル画像生成方法としての形態もとることができる。また、この各機能を有する記録装置と同様に、コンピュータに記録装置として機能させるためのサムネイル画像生成プログラムとしての形態も、また、そのサムネイル画像生成プログラムを記録した記録媒体としての形態も可能である。
【００５３】
本発明によるサムネイル画像生成機能を実現するためのプログラムやデータを記憶した記録媒体の実施形態について説明する。記録媒体としては、具体的には、ＣＤ−ＲＯＭ（−Ｒ／−ＲＷ）、光磁気ディスク、ＤＶＤ−ＲＯＭ（−Ｒ／−ＲＷ／−ＲＡＭ）、ＦＤ、ＨＤ、ＢＤ、フラッシュメモリ、メモリカードや、メモリスティック及びその他各種ＲＯＭやＲＡＭ等が想定でき、これら記録媒体に上述した本発明の各実施形態の装置としての機能をコンピュータに実行させ、サムネイル画像生成機能を実現するためのプログラムを記録して流通させることにより、当該機能の実現を容易にする。そしてコンピュータ等の情報処理装置に上記のごとくの記録媒体を装着して情報処理装置によりプログラムを読み出すか、若しくは情報処理装置が備えている記憶媒体に当該プログラムを記憶させておき、必要に応じて読み出すことにより、本発明に関わるサムネイル画像生成機能を実行することができる。
【００５４】
以上説明したように、本発明によれば、録画コンテンツに対して、ユーザ所望の画像をサムネイル化できるため、ユーザ自身が設定したサムネイル画像により録画コンテンツの内容を簡単且つ的確に把握することができる。
【図面の簡単な説明】
【００５５】
【図１】本発明の一実施形態に係る記録装置の構成例を示すブロック図である。
【図２】本発明のレコーダによる静止画取り込み処理の一例を説明するためのフロー図である。
【図３】本発明のレコーダによるタイトルへのキーワード設定処理の一例を説明するためのフロー図である。
【図４】本発明のレコーダによる録画タイトルと静止画との関連付け処理の一例を説明するためのフロー図である。
【図５】関連付けデータベースの内部構造の一例を説明するための図である。
【図６】レコーダにより出力されるタイトルリストのサムネイル形式の表示例を示す図である。
【図７】関連付けデータベースの内部構造の他の例を説明するための図である。
【図８】関連付けデータベースの内部構造の他の例を説明するための図である。
【図９】図８に示す関連付けデータベースに基づくタイトルリストのサムネイル形式の表示例を示す図である。
【符号の説明】
【００５６】
１０…記録装置（レコーダ）、１１…チューナ部、１２…画像／音声信号処理部、１３…記憶部、１４…関連付けデータベース、１５…ＯＳＤ部、１６…重畳部、１７…信号出力部、１８…操作部、１９…リモコン受光部、２０…ＲＯＭ、２１…ＲＡＭ、２２…ネットワークＩ／Ｆ、２３…外部入力Ｉ／Ｆ、２４…制御部。
【図１】
2009010692.tif 000003
【図２】
2009010692.tif 000004
【図３】
2009010692.tif 000005
【図４】
2009010692.tif 000006
【図５】
2009010692.tif 000007
【図６】
2009010692.tif 000008
【図７】
2009010692.tif 000009
【図８】
2009010692.tif 000010
【図９】
2009010692.tif 000011